(57)【要約】  モバイル通信ネットワークにおいてシステム情報を伝送する方法。ネットワークは、セルと複数のモバイル端末とを無線通信させる操作の可能な基地局と、複数のモバイル端末のうち１つのモバイル端末とを含み、モバイル端末は、基地局と通信する操作が可能である。方法は、基地局により提供されるセルを用いるためのシステム情報を含む基本システム情報「ＥＳＩ」を、複数のモバイル端末に定期的に伝送し、セルにより提供される１つ以上のサービスを用いるためのシステム情報を含む追加システム情報「ＡＳＩ」をモバイル端末に伝送する。方法は、基地局がオーバーロードであると判断された場合は、セルは１つ以上のサービスを現在提供できないというサービス通知を伝送することをさらに含む。【選択図】図３
2019532594.tif 000002
【特許請求の範囲】
【請求項１】
モバイル通信ネットワークにおいてシステム情報を伝送する方法であって、前記ネットワークは、セルと複数のモバイル端末とを無線通信させる操作の可能な基地局と、前記複数のモバイル端末のうち１つのモバイル端末とを含み、前記モバイル端末は、前記基地局と通信する操作が可能であって、
前記基地局により提供される前記セルを用いるためのシステム情報を含む基本システム情報「ＥＳＩ」を、前記複数のモバイル端末に定期的に伝送し、
前記セルにより提供される１つ以上のサービスを用いるためのシステム情報を含む追加システム情報「ＡＳＩ」を前記モバイル端末に伝送する方法であって、
前記基地局がオーバーロードであると判断された場合は、前記セルは前記１つ以上のサービスを現在提供できないというサービス通知を伝送することをさらに含む、方法。
【請求項２】
前記サービス通知は、前記伝送ＡＳＩの一部として伝送される、請求項１に記載の方法。
【請求項３】
前記サービス通知は、前記ＥＳＩの一部として伝送される、請求項１に記載の方法。
【請求項４】
前記サービス通知は、前記ＥＳＩの一部として伝送され、前記基地局がオーバーロードであると判断された場合は、前記ＡＳＩは、前記モバイル端末に伝送されない、請求項１に記載の方法。
【請求項５】
前記ＥＳＩは、前記ＡＳＩにスケジューリング情報を提供する少なくとも１つのフィールドを含み、前記サービス通知の伝送は、前記ＡＳＩにスケジューリング情報を示さない前記少なくとも１つのフィールドで、前記ＥＳＩを伝送することを含む、請求項４に記載の方法。
【請求項６】
前記ＥＳＩは、前記ＡＳＩが伝送されないことを示すＡＳＩ通知を含む、請求項４に記載の方法。
【請求項７】
前記ＥＳＩは、前記基地局により伝送される、請求項１に記載の方法。
【請求項８】
前記ＡＳＩは、前記基地局により、又は、前記基地局とは異なるさらなる基地局により伝送される、請求項１に記載の方法。
【請求項９】
前記サービス通知は、
前記セルが前記１つ以上のサービス、及び、任意で、全てのサービスにアクセス制限されていることを、前記モバイル端末に通知し、
他の基地局により提供される他のセルは、前記１つ以上のサービスを提供できることを、前記モバイル端末に通知し、かつ
前記セルがもうキャンパブルではないことを、前記モバイル端末に通知する、のうち１つ以上についてである、請求項１に記載の方法。
【請求項１０】
前記セルがもうキャンパブルではないことの通知の際、前記ＥＳＩの定期的な伝送を停止することをさらに含む、請求項９に記載の方法。
【請求項１１】
前記ＡＳＩは、前記モバイル端末に定期的に、又は前記モバイルのリクエストにより伝送される、請求項１に記載の方法。
【請求項１２】
モバイル通信ネットワークにおいてシステム情報を伝送するための基地局であって、セルと複数のモバイル端末とを無線通信させる前記基地局において、前記基地局は、
前記基地局により提供される前記セルを用いるためのシステム情報を含む基本システム情報「ＥＳＩ」を、前記複数のモバイル端末に定期的に伝送し、
前記セルにより提供される１つ以上のサービスを用いるためのシステム情報を含む追加システム情報「ＡＳＩ」を前記モバイル端末に伝送し、
前記基地局がオーバーロードであると判断された場合は、セルは前記１つ以上のサービスを現在提供できないというサービス通知を伝送させることにより、前記モバイル端末に通知するように構成された、基地局。
【請求項１３】
前記サービス通知は、前記基地局とは異なる更なる基地局により伝送される、請求項１２に記載の基地局。
【請求項１４】
前記サービス通知は、前記伝送ＡＳＩの一部として伝送される、請求項１２に記載の基地局。
【請求項１５】
前記サービス通知は、前記ＥＳＩの一部として伝送される、請求項１２に記載の基地局。
【請求項１６】
前記サービス通知は、前記ＥＳＩの一部として伝送され、前記基地局がオーバーロードであると判断された場合は、前記ＡＳＩは、前記モバイル端末に伝送されない、請求項１２に記載の基地局。
【請求項１７】
前記ＥＳＩは、前記ＡＳＩにスケジューリング情報を提供する少なくとも１つのフィールドを含み、前記サービス通知を伝送するよう構成された前記基地局は、前記ＡＳＩにスケジューリング情報を示さない前記少なくとも１つのフィールドで、前記ＥＳＩを伝送するよう構成された前記基地局を含む、請求項１６に記載の基地局。
【請求項１８】
前記ＥＳＩは、前記ＡＳＩが伝送されないことを示すＡＳＩ通知を含む、請求項１６に記載の基地局。
【請求項１９】
前記サービス通知は、
前記セルが前記１つ以上のサービス、及び、任意で、全てのサービスにアクセス制限されていることを、前記モバイル端末に通知し、
他の基地局により提供される他のセルは、前記１つ以上のサービスを提供できることを、前記モバイル端末に通知し、かつ
前記セルがもうキャンパブルではないことを、前記モバイル端末に通知する、のうち１つ以上についてである、請求項１２に記載の基地局。
【請求項２０】
前記セルがもうキャンパブルではないことの通知の際、前記ＥＳＩの定期的な伝送を停止することをさらに含む、請求項１９に記載の基地局。
【請求項２１】
前記基地局は、
伝送された前記ＡＳＩを、前記モバイル端末に定期的に、及び／又は前記モバイルリクエストからのリクエストにより伝送するよう構成されている、請求項１２に記載の基地局。
【請求項２２】
モバイル通信ネットワークにおいてシステム情報を伝送するための基地局の回路であって、前記回路は、セルと複数のモバイル端末とを無線通信させるよう共に操作可能に構成された、コントローラ要素とトランシーバ要素とを含み、
前記基地局により提供される前記セルを用いるためのシステム情報を含む基本システム情報「ＥＳＩ」を、前記複数のモバイル端末に定期的に伝送し、
前記セルにより提供される１つ以上のサービスを用いるためのシステム情報を含む追加システム情報「ＡＳＩ」を前記モバイル端末に伝送し、
前記基地局がオーバーロードであると判断された場合は、セルは前記１つ以上のサービスを現在提供できないというサービス通知を伝送させることにより、前記モバイル端末に通知するよう構成された、回路。
【請求項２３】
モバイル通信ネットワークにおいてシステム情報を伝送するための基地局であって、請求項１に記載の方法を実施するよう構成された、基地局。
【請求項２４】
モバイル通信ネットワークにおいてシステム情報を受信する方法であって、前記ネットワークは、セルと複数のモバイル端末とを無線通信させる操作の可能な基地局と、前記複数のモバイル端末のうち１つのモバイル端末とを含み、前記モバイル端末は、前記基地局と通信する操作が可能であって、
前記複数のモバイル端末に定期的に伝送される、前記基地局により提供される前記セルを用いるためのシステム情報を含む基本システム情報「ＥＳＩ」を受信し、
前記セルにより提供される１つ以上のサービスを用いるためのシステム情報を含む追加システム情報「ＡＳＩ」を受信しようと試み、
前記セルは前記１つ以上のサービスを現在提供できないというサービス通知を受信することを含む、方法。
【請求項２５】
前記ＡＳＩを受信することをさらに含み、前記サービス通知は、前記受信ＡＳＩの一部として受信される、請求項２４に記載の方法。
【請求項２６】
前記ＡＳＩは、前記基地局から、又は前記基地局とは異なるさらなる基地局から受信される、請求項２５に記載の方法。
【請求項２７】
前記サービス通知を受信することは、前記複数のモバイル端末に伝送された前記ＥＳＩの一部として前記サービス通知を受信することを含む、請求項２４に記載の方法。
【請求項２８】
前記サービス通知は、
前記セルが前記１つ以上のサービス、及び、任意で、全てのサービスにアクセス制限されていることを前記モバイル端末に、通知し、
他の基地局により提供される他のセルは、前記１つ以上のサービスを提供できることを前記モバイル端末に、通知し、かつ
前記セルがもうキャンパブルではないことを前記モバイル端末に、通知する、のうち１つ以上についてである、請求項２４に記載の方法。
【請求項２９】
前記セルが、前記１つ以上のサービスにアクセス制限されている通知の際に、
前記基地局とは異なる第２の基地局により提供されるセルから１つ以上のサービスのうち少なくとも１つへのアクセスを試み、及び／又は
前記ＡＳＩを受信することを試みる前に、一定の期間待つことをさらに含む、請求項２８に記載の方法。
【請求項３０】
前記セルがもうキャンパブルではないことを通知する際に、
前記基地局とは異なる第２の基地局により提供される第２のセルにキャンピングオンすることをさらに含む、請求項２８に記載の方法。
【請求項３１】
モバイル通信ネットワークにおいてシステム情報を受信するためのモバイル端末であって、前記ネットワークは、セルと複数のモバイル端末とを無線通信させる操作の可能な基地局と、前記複数のモバイル端末のうち１つのモバイル端末とを含み、前記モバイル端末は、前記基地局と通信する操作が可能であって、
前記複数のモバイル端末に定期的に伝送される、前記基地局により提供される前記セルを用いるためのシステム情報を含む基本システム情報「ＥＳＩ」を受信し、
前記セルにより提供される１つ以上のサービスを用いるためのシステム情報を含む追加システム情報「ＡＳＩ」を受信しようと試み、
前記セルは前記１つ以上のサービスを現在提供できないというサービス通知を受信するよう動作する操作の可能な、モバイル端末。
【請求項３２】
前記ＡＳＩを受信するように構成され、前記サービス通知は、前記受信ＡＳＩの一部として受信される、請求項３１に記載のモバイル端末。
【請求項３３】
前記ＡＳＩは、前記基地局から、又は前記基地局とは異なるさらなる基地局から受信される、請求項３２に記載のモバイル端末。
【請求項３４】
前記サービス通知を受信するよう構成された前記モバイル端末は、前記複数のモバイル端末に伝送された前記ＥＳＩの一部として前記サービス通知を受信する操作の可能な前記モバイル端末を含む、請求項３１に記載のモバイル端末。
【請求項３５】
前記サービス通知は、
セルが前記１つ以上のサービスに、任意で、全てのサービスにアクセス制限されていることを、前記モバイル端末に通知し、
他の基地局により提供される他のセルは、前記１つ以上のサービスを提供できることを、前記モバイル端末に通知し、かつ
前記セルがもうキャンパブルではないことを、前記モバイル端末に通知する、のうち１つ以上についてである、請求項３１に記載のモバイル端末。
【請求項３６】
前記セルが、前記１つ以上のサービスにアクセス制限されている通知の際に、
前記基地局とは異なる第２の基地局により提供されるセルから１つ以上のサービスのうち少なくとも１つへのアクセスを試み、及び／又は
前記ＡＳＩを受信することを試みる前に、一定の期間待つように、さらに操作可能にされる、請求項３５に記載のモバイル端末。
【請求項３７】
前記セルがもうキャンパブルではないことを通知する際に、
前記基地局とは異なる第２の基地局により提供される第２のセルにキャンプオンするように、さらに操作可能にされる、請求項３５に記載のモバイル端末。
【請求項３８】
モバイル通信ネットワークにおいてシステム情報を受信するためのモバイル端末の回路であって、前記ネットワークは、セルと複数のモバイル端末とを無線通信させる操作の可能な基地局と、前記複数のモバイル端末のうち１つのモバイル端末とを含み、前記回路は、セルと複数のモバイル端末とを無線通信させる動作をするよう構成された、コントローラ要素とトランシーバ要素とを含み、
前記複数のモバイル端末に定期的に伝送される、前記基地局により提供される前記セルを用いるためのシステム情報を含む基本システム情報「ＥＳＩ」を受信し、
前記セルにより提供される１つ以上のサービスを用いるためのシステム情報を含む追加システム情報「ＡＳＩ」を受信しようと試み、
前記セルは前記１つ以上のサービスを現在提供できないというサービス通知を受信する、回路。
【請求項３９】
モバイル通信ネットワークにおいてシステム情報を伝達するモバイル端末であって、請求項２４に記載の方法を実行するよう構成された、モバイル端末。
【発明の詳細な説明】
【技術分野】
【０００１】
関連出願を相互参照
本出願は、欧州特許出願ＥＰ１６１９７１８５．８号のパリ条約による優先権を主張するものであり、内容を参照することにより組み込まれる。
【０００２】
本開示は、無線電気通信装置及び方法に関する。
【背景技術】
【０００３】
「背景」の記載は、本開示の内容を包括的に示すためである。背景技術に記載された範囲及び出願時に従来技術とはされない説明の態様に係る本発明者らの功績は、明示又は黙示を問わず本発明の従来技術とはされない。
【０００４】
３ＧＰＰ承認ＵＭＴＳ及びロングタームエボリューション（ＬＴＥ）アーキテクチャに基づく第３及び４世代のモバイル電気通信システムは、前世代のモバイル電気通信システムにより提供された単純なボイス及びメッセージサービスよりも洗練されたサービスをサポートすることができる。例えば、ＬＴＥシステムにより提供される改善されたラジオインターフェースと向上したデータレートにより、ユーザーは、固定回線データ接続でしか以前は利用できなかったモバイルビデオストリーミングやモバイルビデオ会議等高データレートアプリケーションを楽しむことができる。第３及び４世代ネットワークを用いる要求は高く、これらのネットワークのカバーエリア、すなわち、ネットワークへのアクセスが可能な地理的な場所を急速に増大することが期待される。
【０００５】
今後の無線通信ネットワークは、現行のシステムでサポートが最適化されたものよりも、広範囲なデータトラフィックプロフィールやタイプに関連する広範囲なデバイスとの通信を効率的にサポートすることが期待されている。例えば、今後の無線通信ネットワークは、複雑性の減じたデバイス、マシン型通信デバイス、高解像度ビデオディスプレイ、バーチャルリアリティヘッドセット等をはじめとするデバイスとの通信を効率的にサポートすることが期待されている。これらの異なるタイプのデバイスのいくつかは、多く使われるであろう。例えば、「Ｔｈｅ  Ｉｎｔｅｒｎｅｔ  ｏｆ  Ｔｈｉｎｇｓ」（ＩｏＴ）をサポートするあまり複雑でないデバイスがある。典型的に、比較的高い抗遅延による、比較的少量のデータの伝送に関連している。一方、例えば、高精細ビデオストリーミングをサポートする他の種類のデバイスは、比較的低い抗遅延による比較的大量のデータの伝送に関連している。単一デバイスタイプも、それが動作する用途に応じた、異なるトラフィックプロフィールと関連している。例えば、インターネットブラウジングアプリケーション（散発的なアップリング及びダウンリンクデータ）を動作させているときに比べ、ビデオストリーミングアプリケーション（高ダウンリンクデータ）を動作させているときは、異なる考え方が、スマートフォンとのデータ交換を効率的にサポートすることに適用される。
【０００６】
これにより、異なる用途及び異なる特性データトラフィックプロフィールに関連する広範囲なデバイスへの効率的な接続サポートのために、５Ｇ又は新無線（ＮＲ）システム／新無線アクセス技術（ＲＡＴ）システム、既存のシステムの今後の反復／リリースと呼ばれる、今後の無線通信ネットワークが求められている。
【０００７】
異なるケイパビリティを有し、異なるタイプのデータ通信をする異なるタイプの端末デバイスを効率的にサポートする無線電気通信システムについて、ネットワークインフラストラクチャーは、端末デバイス操作の関連特性、すなわち、効率を改善するために、端末デバイスとの通信をどのように処理するかに影響する特性を知る必要がある。これに関して、端末デバイス操作の関連特性は、広くは、２つの情報カテゴリに分類される。
【０００８】
第１のカテゴリは、ケイパビリティ情報と呼ばれ、例えば、サポートされる無線アクセス技術、操作帯域及び周波数、ＭＩＭＯサポート、キャリアアグレゲーションサポート等に関する、端末デバイスの無線ネットワークにアクセスする基本的なケイパビリティに関連する情報を含む。ケイパビリティ情報は、一般的に、ハードウェアにより設定され、端末デバイスが物理レイヤーにアクセスする方法を決めるデバイスの特性に関係すると広くは考えられる。無線電気通信システムにおいて通信を構成するのにかかるケイパビリティ情報を使うことは、既に確立されている。
【０００９】
情報の第２のカテゴリは、アプリケーション情報又はデバイスコンテクスト情報と呼ばれ、例えば、デバイスがサポートする、現在、動作している、ソフトウェアに関連する情報、及びデバイスの性質や使われ方、例えば、デバイスが、スタティックデバイス、モバイルデバイス、ウェラブルデバイス等であるかに関する、端末デバイスの高レイヤー操作（すなわち、物理レイヤーより高いレイヤー）に関係する情報を含む。アプリケーション情報／デバイスコンテクスト情報は、モバイルデバイスの現在の操作モード、環境とモビリティ、端末デバイスが無線インターフェースにどのようにして物理的にアクセスするかに関するケーパビリティ情報とは別のその他情報に係るパラメータ／特性を表す情報を含むと考えられる。
【００１０】
ＬＴＥベースネットワーク等の従来の無線電気通信ネットワークにおいて、基地局は、システム情報を伝送して、端末が、提供されるセルにアクセスしこれを用いることができるようにすることが知られている。最近の規格リリースにおいて、数多くのサービスが導入されており、基地局はまた、セルに提供されるサービスに関する追加のシステム情報を、オンデマンドで伝送することが提案されてきた。しかしながら、ＬＴＥ環境においては、基地局／セルは既に高ロードである場合は、同レベルのサービスを提供することはできず、オーバーロードの基地局を支援する現在の提案では使用が限定される。
【発明の概要】
【課題を解決するための手段】
【００１１】
本開示は、上述した問題の少なくともいくつかに取り組み、軽減するのに役立つ。本開示の各態様及び特徴は、特許請求の範囲に定義される。詳細な説明は例示であり、本技術を限定するものではない。実施形態及びさらなる利点は、詳細な説明を図面と共に参照することにより、理解されるであろう。
【００１２】
本開示及び付随する多くの利点は、図面と共に詳細な説明を参照することにより、より良く理解されるであろう。図面において、同一の参照番号は、同一又は対応のものを指す。
【図面の簡単な説明】
【００１３】
【図１】本開示のある実施形態に従って、操作されるように構成されたＬＴＥタイプの無線電気通信ネットワークの態様の概略図である。
【図２】本開示のある実施形態に従って、操作されるように構成された無線電気通信ネットワークの態様の概略図である。
【図３】システム情報を端末に伝送するよう構成された無線電気通信ネットワークの態様の概略図である。
【図４】無線電気通信ネットワークに用いる方法の態様の概略図である。
【発明を実施するための形態】
【００１４】
図１は、ＬＴＥ原理に従って操作されるが、他の無線アクセス技術もサポートし、ここに記載した開示の実施形態を実施する、モバイル電気通信ネットワーク／システム１００の基本機能を示す概略図である。図１の様々な要素およびその各操作モードは、周知されており、３ＧＰＰ（ＲＴＭ）により管理される関連規格により定義され、例えば、Holma H. and Toskala A [1]等、それについて多くの本にも記載がある。具体的には記載しないが、電気通信ネットワークの操作態様は、公知の技術、例えば、関連規格及び関連規格に対して既に提案された修正や追加に従って実施されると考えられる。
【００１５】
ネットワーク１００は、コアネットワーク１０２に接続される複数の基地局１０１を含む。各基地局は、データが端末デバイス１０４と通信できるカバーエリア１０３（すなわち、セル）を提供する。データは、無線ダウンリンクを介して各カバーエリア１０３内で、基地局１０１から端末デバイス１０４へ伝送される。データは、無線アップリンクを介して、端末デバイス１０４から基地局１０１へ伝送される。コアネットワーク１０２は、各基地局１０１を介して、端末デバイス１０４とデータをやり取りし、認証、モビリティマネジメント、チャージ等の機能を提供する。端末デバイスはまた、モバイルステーション、ユーザーイクイップメント（ＵＥ）、ユーザー端末、モバイル無線、通信デバイス等とも呼ばれる。ネットワークインフラストラクチャーイクイップメントの一例である基地局はまた、トランシーバーステーション／ノードＢｓ／ｅ−ノードＢｓ等とも呼ばれる。
【００１６】
図２は、本開開示の実施形態による電気通信システム５００の詳細を示す概略図である。本例の電気通信システム５００は、ＬＴＥタイプのアーキテクチャによるものであり、電気通信システムはまた、図２に示す適切に構成された機能を備えた同じハードウェアか、図２に示すハードウェアに関連して操作するよう構成された別のハードウェアを用いることにより、他の無線アクセス技術もサポートする。電気通信システム／ネットワーク５００の操作の多くの態様は公知で理解されており、簡潔にするため、詳述はしない。本明細書の具体的に記載されていない電気通信システム５００の操作態様は、公知の技術に従って、例えば、現行のＬＥＴ規格や、無線電気通信システムを操作するための他の提案に従って、実施される。
【００１７】
電気通信システム５００は、無線ネットワーク部につながれたコアネットワーク部（進化パケットコア）５０２を含む。無線ネットワーク部は、端末デバイス５０８につながれた基地局（進化ノードＢ）を含む。本例においては、１台のみの基地局５０４と１台のみの端末デバイス５０８が図２において示されているが、実際の無線ネットワーク部は、様々な通信セルにまたがる数多くの端末デバイスを扱う複数の基地局を通常は含んでおり、ＵＴＲＡＮ、ＧＥＲＡＮ、ＷＬＡＮ又は５ＧニューＲＡＴ等の他の無線アクセス技術に従って操作されるセル上の端末デバイスとの無線通信をサポートするトランシーバーステーションも潜在的に含まれる。しかしながら、簡潔にするために、図２には１台のみの基地局と端末デバイスを示してある。
【００１８】
端末デバイス５０８は、基地局（トランシーバーステーション）５０４とデータ通信するよう構成されている。基地局は、電気通信システム５００において、基地局５０４を介して、端末デバイスへのモバイル通信サービスのルーティングと管理を行うよう構成されたコアネットワーク部において、サービングゲートウェイ、Ｓ−ＧＷ（図示せず）に通信可能に接続されている。モビリティマネジメント及び接続性を維持するために、コアネットワーク５０２はまた、モビリティマネジメントエンティティＭＭＥ（図示せず）も含み、これは、加入者管理サーバＨＳＳにストアされた加入者情報に基づいて、通信システムにおいて操作される端末デバイス５０８とのエンハンスドパケットサービスＥＰＳ接続を管理する。コアネットワークにおける他のネットワークコンポーネント（簡潔にするために同じく不図示）には、ポリシーチャージ及びリソース機能、ＰＣＲＦ、及びコアネットワーク部５０２から外部パケットデータネットワーク、例えば、インターネットへの接続を提供するパケットデータネットワークゲートウェイＰＤＮ−ＧＷが含まれる。上述した通り、図２に示す通信システム５００の様々な要素の操作は、本明細書に記載した本開示の実施形態による機能を与えるべく修正した部分は別にして従来のものである。本発明の実施形態は、例えば、ＵＴＲＡＮ、ＧＥＲＡＮ、ＷＬＡＮ又は５ＧニューＲＡＴ（ＮＲ）ネットワークのうち１つ以上の異なる無線アクセス技術に従って操作される無線通信システムで通常実施され、他の無線アクセス技術は、ＬＴＥインプリメンテーションに関して同じネットワークインフラストラクチャーコンポーネントを必ずしも組み込んでいない（例えば、新ＲＡＴネットワークにおけるサービングゲートウェイがない）ものと考えられる。
【００１９】
端末デバイス５０８は、後述するベースステーション５０４との通信時、本開示の実施形態に従って、操作をサポートするよう構成されている。端末デバイス５０８は、無線信号の伝送及び受信のためのトランシーバー回路５０８ａ（トランシーバー／トランシーバーユニットとも呼ばれる）と、端末デバイス５０８を制御するプロセッサ回路５０８ｂ（プロセッサ／プロセッサユニットとも呼ばれる）とを含む。プロセッサ回路５０８ｂは、本明細書に記載した実施形態による機能を提供する様々なサブユニット／サブ回路を含んでいてよい。これらのサブユニットは、離散ハードウェア要素として、又はプロセッサ回路の適切に構成された機能として実施されてよい。このように、プロセッサ回路５０８ｂは、無線電気通信システムにおけるイクイップメントのための従来のプログラミング／構成技術を用いて、本明細書に記載した所望の機能を提供するよう好適に構成／プログラムされた回路を含んでいてよい。トランシーバー回路５０８ａ及びプロセッサ回路５０８ｂは、分り易くするために、個別の要素として図２に概略を示してある。しかしながら、これらの回路要素の機能性は、例えば、１つ以上の好適にプログラムされたプログラマブルコンピュータ、又は１つ以上の好適に構成された用途特定集積回路／回路／チップ／チップセットを用いて、様々な異なる方法で提供されるものと考えられる。端末デバイス５０８は、一般に、例えば、電源、ユーザーインターフェース等、操作機能性に係る様々なその他の要素を含むが、簡潔にするために、図２には示していない。
【００２０】
基地局５０４は、無線信号を伝送及び受信するためのトランシーバー回路５０４ａ（トランシーバー／トランシーバーユニットとも呼ばれる）と、本明細書に記載した本開示の実施形態に従って操作される基地局５０４を制御するよう構成されたプロセッサ回路５０４ｂ（プロセッサ／プロセッサユニットとも呼ばれる）とを含む。プロセッサ回路５０４ｂは、後述する本開示の実施形態による機能を提供するスケジューリングユニットのような様々なサブユニット／サブ回路を含んでいてよい。これらのサブユニットは、離散ハードウェア要素として、又はプロセッサ回路の適切に構成された機能として実施されてよい。このように、プロセッサ回路５０４ｂは、無線電気通信システムにおけるイクイップメントのための従来のプログラミング／構成技術を用いて、本明細書に記載した所望の機能を提供するよう好適に構成／プログラムされた回路を含んでいてよい。トランシーバー回路５０４ａ及びプロセッサ回路５０４ｂは、分り易くするために、個別の要素として図２に概略を示してある。しかしながら、これらの回路要素の機能性は、例えば、１つ以上の好適にプログラムされたプログラマブルコンピュータ、又は１つ以上の好適に構成された用途特定集積回路／回路／チップ／チップセットを用いて、様々な異なる方法で提供されるものと考えられる。基地局５０４は、一般に、スケジューラー等、操作機能性に係る様々なその他の要素を含むものと考えられる。例えば、簡潔にするために、図２には示していないが、プロセッサ回路５０４ｂは、スケジューリング回路を含み、すなわち、プロセッサ回路５０４ｂは、基地局５０４にスケジューリング機能を提供するよう構成／プログラムされていてよい。
【００２１】
現時点での開発では、基本システム情報（基地局により提供されるセルを用いることができるようになる前に端末が取得すべき）に加えて、セルで利用可能な追加のサービスについて、端末に情報を提供するための「他のシステム情報」又は「他のＳＩ」を伝達する基地局が提案されている。エッセンシャルＳＩ（「ＥＳＩ」）は、キャンパブルでないときに、常に伝送されるが、他のＳＩは、端末からのオンデマンドで、リクエスト時にのみ伝送される。他のＳＩは、ここでは、「追加ＳＩ」又は簡潔に「ＡＳＩ」と称す。これに関連して、ＲＡＮ２＃９５ｂｉｓ会議で、以下の３つの目的が合意された。
１：オンデマンドＳＩについて、他のＳＩは、設定可能に周期的（ＬＴＥのＳＩ周期と等価）かつ特定の期間にわたってブロードキャストしてよい。
２：アイドル及び「ニューステート」による他のＳＩのリクエスト、ＵＥは状態遷移なしで実施されるものとする。
３：ＵＥによりリクエストされるＳＩについて、ＵＥは、セルにおいて使用可能かどうか、かつ、他のＳＩリクエストを送る前にブロードキャストされるかどうかを知るものとする（例えば、最小ＳＩをチェックすることにより）。
【００２２】
上記の合意により、ＡＳＩは、ＵＥからのリクエストに従って、オンデマンドで送信できる。リクエストを送信する前、ＵＥは、特定のＳＩＢがセルにおいて利用可能かどうか知るものとする。これらの合意及び議論に基づいて、図３に示す通り、提案される１つのスキームは、Ｒ２−１６６２０３である。
【００２３】
図３に示すスキームにおいて、ＵＥは、ＡＳＩにリクエストを送信することができ、リクエストは、ＳＩリクエストウィンドウ内に送信されるものとする。ネットワークは、図３に２つの代替で示される、ブロードキャストか専用シグナリングのいずれかにより、ＳＩをデリバーすることを決定することができる。従って、ＡＳＩは、リクエストにより端末に単純にデリバリーされる。
【００２４】
上記合意２によれば、リクエストに対してランダムアクセス「ＲＡ」プリアンブルを用いることは、ＳＩをリクエストする方法を決める最も可能性の高い選択肢である。ＵＥは、設定可能な期間、すなわち、ＳＩ応答ウィンドウを待って、ＲＡプリアンブルを送信する。
【００２５】
最後に、合意３を見ると、他のＳＩスケジューリングについての情報を含むものとするエッセンシャルＳＩをチェックした後、ＵＥは、リクエスト（例えば、ＲＡプリアンブル）を送信することができる。中には、「他のＳＩ」として伝送された各ＳＩの利用可能性についてのビットマップを用いることを提案した会社もある。例えば、ＥＳＩは、ＡＳＩは第１のサービスには利用可能であるあ、第２のサービスには利用可能でない、ということを示すことができた。
【００２６】
しかしながら、ネットワークがオーバーロード又は混雑している場合は、ＡＳＩの伝送は、残念ながら、基地局のロードをさらに増大させてしまうという影響をもたらす。解決策の１つは、システム情報ブロードキャストに、予め十分なリソース（ＬＴＥのような）をネットワークがリザーブしておくことを決定することである。これは、Ｒ２−１６６８８５に提案されており、「システムロードが高いときは、ＵＥが他のＳＩにリクエストを出さないようにして、オールウェイズブロードキャストデリバリーにスイッチバックするのが好ましい」と示唆されている。
【００２７】
これは、シグナリングオーバーロードを減じるが、システムは、アップリンクよりもダウンリンクではオーバーロードの可能性があるため、この提案は不十分である。従って、この解決策によりなされた省力は、ＡＳＩをリクエストするアップリンクリソースにおいて、基地局のロードを減じるのに限られた影響しかない可能性が高い。例えば、
ＡＳＩをリクエストするのに用いられるＲＡプリアンブルリソースからの単一シグネチャー（又はＳＩＢタイプごとの単一シグネチャー）しかなく、ＲＡリソースは、オーバーロードであっても常に伝送されることとなる（ＵＥは、セルがたとえオーバーロードであても、ＲＡ手順を通常通り、実施できなければならない）。その結果、ＵＥは、基地局がオーバーロードでもＡＳＩをリクエストでき、かかるリクエストが資源の消費にはならない。
【００２８】
一方、提案されたオールウェイズブロードキャストデリバリーにスイッチバックすると、予めＳＩリソースをリザーブするネットワークとなるため、セルのロードが増大する。また、ビームフォーミングによるオーバーヘッドもまた考慮する必要があり、この修正の影響が、ＬＴＥによるよりもビームフォーミングの５Ｇのいて強くなる。さらに、オーバーロードにより、ネットワーク又はセルはこれらのＵＥをサーブすることはできない。他に考慮することは、対応のサービス使用の開始に興味がありさえすれば、ＵＥは他のシステム情報（「ＡＳＩ」）をリクエストすることである。例えば、ＭＢＭＳサービスを用いることに実際興味がある場合、ＵＥはＭＢＭＳ  ＳＩＢをリクエストするだけである。
【００２９】
以下は、「他のＳＩ」の一部となり得るセル再選択ＳＩＢ、３、４、５、６、７を除く、ＬＴＥで現在利用可能なシステムのリストである。
【表１】
2019532594.tif 000003
【００３０】
ここで仮定するのは、セル再選択パラメータは、エッセンシャルＳＩに含まれ、さらなるシステム情報（「ＳＩ」）が提供されず、基本モビリティを実施する場合でも、端末は、セルを用いる、又はセルにキャンプオンされる。セル再選択パラメータもＡＳＩに含まれう場合には（いうれかにより示唆される通り）、ネットワークオーバーロードでの何らかのアクションが、ネットワークにとって優先度が高くなる。というのは、基地局がシステムオーバーロードモードのとき、ＡＳＩが提供されないと、ＵＥは、他のセルを再選択することができないためである。
【００３１】
従って、ＡＳＩの伝送を取り扱うことができ、基地局がオーバーロードでもそのようにする構成を見つけることが望ましい。
【００３２】
本発明によれば、基地局のとき、基地局がオーバーロードした場合、例えば、ＥＳＩ又はＡＳＩの一部として、セルが、ＡＳＩをリクエストした１つ以上のサービスを提供できない、という指示を端末が送る構成が提供される。
【００３３】
一方、ＡＳＩ受信の際、端末はＡＳＩにリクエストしなければならず、対応するもの（セルが既にオーバーロードしているため失敗だった場合）にアクセスを試み、端末は、サービスが提供されていないという表示を受信することができる。これは、ネットワークにおけるシグナリングを減少させることができる。
【００３４】
ある観点から、本開示においては２つのレベルの解決策が提案されている。１つは、本開示では、「他のＳＩＢ又はオンデマンドＳＩＢ」自体のサイズがかなり大きく、ネットワークは、これらＳＩＢの伝送に対応できないという態様を考慮していることである。２つは、これらのＳＩＢを伝送する十分な資源があるが、関連サービスをリクエストするＵＥに対応するには十分でないことである。ＵＥが新しいリソースをリクエストするとは限らない。というのはＭＢＭＳ（セルにおけるブロードキャスト）及びＤ２Ｄリソース（セルにおけるリザーブされたリソース）は、セルの観点から固定されたリソースを消費できるからである。両方共、ネットワーク判断に基づいてユニキャストとして提供することができる。
【００３５】
本明細書に記載した提案を考慮すると、本開示によれば、次の４つの実施が提案される。
【００３６】
１．一例において、ネットワークは、ＡＳＩを端末に提供することができるが、専用シグナリングを介して、例えばＤ２Ｄ／ＭＢＭＳのような「他のＳＩ」におけるフィーチャーに対する新しいＵＥリクエストに対応する十分なリソースはない。エッセンシャルＳＩは、これらのＳＩＢについてスケジューリング／利用可能性情報を含まないと仮定される。このＵＥ／グループ／全ＵＳについての「他のＳＩ」へのアクセスが制限される、例えば、ＳＩＢ２をブロードキャストすることにより、基地局はブロードキャストすることができる。
【００３７】
従って、ＵＥがこのサービスに明らかにアクセスしようとすると、ＵＥはＡＳＩリクエストを送信せず、他のセル／ＲＡＴへ移動する。ネットワークは、端末、例えば、エッセンシャルＳＩにおけるセル／ＲＡＴへ補助情報を提供する。セル再選択ＳＩＢもまた「他のＳＩＢ」の一部である場合には、ネットワークは、セル再選択ＳＩＢ及びＳＩＢ２をセットすることができ、これらを伝送する。しかしながら、セル再選択ＳＩＢが含まれない、又はブロードキャストされない場合には、エッセンシャルＳＩＢはかかる情報を含むことができる。
【００３８】
ＳＩＢ２（制限されているサービス及びかかるサービスをリクエストしているＵＥが行くべきセル／ＲＡＴの表示を含めるのに用いられる）は、サービス又はアクセスクラスに基づくセルにおいて、ＵＥの選択にブロードキャストしてよい。これは、現在の既存のＡＣＤＣフィーチャーに基づくものであり、ネットワークは、制限されたＡＣＤＣカテゴリをブロードキャストすることができ、ＵＥは、ＡＣＤＣカテゴリーに対して、又はここに記載した新しいメカニズムを用いてそれをチェックする。数多くのサービス（例えば、１００）又は数多くのグループ（例えば、１００）が、モバイルネットワークで操作される場合、大きなＳＩＢが必要となる。ＳＩＢのサイズを減じるには、ＳＩＢ２における輻輳レベル（例えば、１〜３）をブロードキャストすることができる。ＵＥは、ＳＩリクエストを送信するのをやめるかどうか判断し、ＵＥ又は特定のサービス（又はスライシング）のグループをサポートすべきである、現在のセル輻輳レベル及び予め設定された最大許容輻輳レベルに基づいて、他のセルへ移動することができる。例えば、４Ｋビデオは輻輳レベル３では許容されないが、輻輳レベル２は用いることができ、音声は、輻輳レベル３が許容される。このスキームの利点は、アクセスクラス（アクセスクラスをサポートしていないＵＥはまた、アクセス制限を実施することができる）およびＡＣＤＣカテゴリから独立しているということである。
【００３９】
あるいは、ＵＥは、システム情報を取得して、他のセルでそれを用いる。セル同士はセルロードを調整すると仮定される。例えば、ネットワークがアンカーセル技術を実施する場合は、１つのセルが、１つ以上の他のセルのためにＡＳＩをブロードキャストするように構成してもよい。
【００４０】
２．他の例において、ネットワークは、エッセンシャルＳＩ情報においてスケジューリング情報の一部としてブロードキャストすることができ、ネットワークがその他ＳＩ  ＳＩＢをブロードキャストせず、専用シグナリングによりそれを送信もしないこと、そして、セル及び関連セルにおいて、ＵＥが対応のサービスを許容するかどうか明言される。
【００４１】
例えば、一実施において、そのた他ＳＩに含まれるＳＩｂに関連するビットは全て０にセットされる。アイドルモードのＵＥは、ブロードキャストされる「その他ＳＩ」なしが仮定され、ＵＥはＲＲＣ＿Ｃｏｎｎｅｃｔｅｄとなる。ＵＥは、関連サービスがスタートする場合は、他のセル／ＲＡＴに移動する。そうでない場合は、ＵＥは後に再接続されるのが試みられるまで待つ。ネットワークは、セル再選択関連ＳＩｂで支援を行う。セル再選択を行い、他のセルでサービスを開始するか、または同自セルで待つ場合、用いるべきパラメータを示すＵＥへある情報が送信される。これは、セルがフィーチャーをサポートしない場合とは区別される。これにはまた、隣接セルがフィーチャーをサポートしていることの提示をブロードキャストすることも含まれる。
【００４２】
３．他のセルが、このセルのために他のＳＩを提供することに責を負う場合は、ＵＥは、かかる情報を既に有しているか、又は、再選択を行って、同じセルを再び再選択する。かかる情報を他のセルから取得することは、システムがオーバーロードされていても、対応のサービス、例えば、Ｄ２Ｄ又はＭｂＭＳを開始することが完全に許容されている、ということをＵＥに示すものである。
【００４３】
従って、本例においては、セルは、Ｘ２状インターフェースについて、オーバーロード状況を調整し、隣接セルは、このオーバーロードセルについて、ＡＳＩ（「その他ＳＩ」）のブロードキャストを停止する。あるいは、ＳＩＢ２が伝送され、セルが全サービスについて制限されていることを示す場合には（上記例１参照）、ＡＳＩの取得もできないことも示すことができる。ある実施例において、セル制限は、サービスの一部であって全てに対してでないと考えられることも注目に値する。例えば、セルは、低キャパシティサービスも可能で、又は、緊急サービスは、優先順位の低い、及び／又は操作するのに利用可能な高スループットを必要とする、他のサービスの使用を制限する。
【００４４】
関連サービスをスタートすべき場合や、同じセルにキャンプオンする場合には、ＵＥは、他のセル／ＲＡＴに移動する。キャンプオンしたセルがオーバーロードの場合には、エッセンシャルＳＩは、好ましくは、ＵＥは「その他ＳＩ」をリクエストしないことを示す。
【００４５】
４．ネットワークは、複数のセルの１つをスイッチする。そこでは、ＵＥがもうキャンプオンできない、すなわち、ＰＳＳ／ＳＳＳ、ＰＢＣＨ及び／又はエッセンシャルＳＩの伝送をストップするものに、ＵＥはキャンプオンすることができる。かかるセルに既にキャンプオンしたＵＥは、セルを失い、これは、ＲＲＣ＿ｉｎａｃｔｉｖｅがＲＲＣ＿Ｉｄｌｅのサブステートとしてモデル化される場合、Ｉｄｌｅ及びＲＲＣ＿ｉｎａｃｔｉｖｅステートのＵＥに適用される。ネットワークは、例えば、端末の不通を減じる観点のページングやエッセンシャルＳＩにより、予め、かかる動作を通知することができる。
【００４６】
これらのインプリメンテーションは全て、Ｉｄｅｌモード、ＲＲＣ＿ｉｎａｃｔｉｖｅ又はＲＲＣ＿Ｃｏｎｎｅｃｔｅｄモードの端末で用いることができる。
【００４７】
また、１つのインプリメンテーション及び、例えば、上述した実施例のいずれかとの組み合わせにおいて、他のセル／ＲＡＴを再選択するＵＥの代わりに、バックオフタイマーをセルによりブロードキャストすることができる。このバックオフタイマーの満了後、ＵＥは再び「他のＳＩ」をリクエストすることができるが、伝送されるのであれば、同じセルに留まる。バックオフタイマー満了後、全てのＵＥがＳＩへのアクセスを試みないことを確実にするために、ＡＣＢメカニズムに基づくランダム化機能を用いることができる。いくつかのＵＥはまた、他のセル／ＲＡＴに直ちに移動することを決定するが、ネットワークからの指示通り、他のＵＥは、タイマーを用いて、待つことを決定する。これは、例えば、サービスを利用する端末の緊急度及び優先度に基づいて決定することができる。また、末端は、数多くのさらなる試み及び／または限定された期間に再びトライすることを決定してもよい。
【００４８】
上記の実施形態は全て、オンデマンドＳＩについてであるが、ＬＴＥベースのＳＩＢ伝送を、ＮＲ／５Ｇネットワークに用いる場合は、ビームフォーミングのためのネットワークロードもまた影響がありそうである。ＬＴＥ  ＳＩＢ伝送は、ＳＩＢ１でブロードキャストされる、常に、固定された周期である。しかしながら、システム情報伝送のビームフォーミングのために、ＬＴＥに比べて、オーバーヘッドはＮＲ／５Ｇの方が大きい。これを考慮すると、バックオフタイマー／カウンターは、まだ、ＳＩＢ１／２でブロードキャストすることができる。ＵＥがＳＩ−ＲＮＴＩ（又はＳＩＢの存在を示す関連インジケータ）を見つけない場合は、ＵＥは、このタイマーを特定のＳＩＢの周期として解釈し、ネットワークは、ＳＩＢのこの発生で、ＳＩＢをブロードキャストしなかった、と仮定され、ＳＩＢデコード不具合か、ＳＩＢの非伝送のいずれかに関して、ネットワークとＵＥの同期を確実にするために、タイマーまたはカウンターを用いることができる。ＮＲのサブフレーム境界は変わり、ネットワークリソースは、ＳＩＢ伝送のまさにその時には既に占有されているということも起こり得る。例えば、ＳＩＢサブフレームが、１ｍｓｅｃ、ｅＭＢＢが１０ｍｓｅｃ及びＵＲＬＬＣが０．１ｍｓｅｃの場合には、ネットワークリソースは、例えば、ｅＭＢＢ及びＵＲＬＬＣリソースに、既に占有されており、ＳＩＢ伝送には十分なリソースがない。カウンターアプローチを用いると、予め定義された／予定されたスペースにＳＩＢがないとき、ＵＥは、カウンターを増分する。カウンターが、最大ブロードキャスト値に達すると、ネットワークは、次の周期で、関連ＳＩＢを伝送しなけらばならない。ＳＩＢが伝送されたら、タイマー／カウンターをリセットする等、さらなる変形も想定される。
【００４９】
実施例において、セルがオーバーロードされると、ネットワークは、ＳＩＢ２において「制限された」としてセルへのサクセスをセットすることができる。セル制限は、ＳＩＢ２においてブロードキャストされ、セルが制限されたとき、同じ周波数で、他のセルへＵＥが行くかどうかを示す周波数内インジケータＩＥも含む。ＥＳＩ（例えば、ＳＩＢ２）が、セルが制限されたことを示す場合は、ＵＥは、ＡＳＩ／「他のＳＩ」リクエストを送信しないものとする（例えば、上述の目的３に加えて）。
【００５０】
ＳＩＢが、ＬＴＥにおいて、ＬＴＥのようにブロードキャストされると（オンデマンドＳＩＢでなく）、本開示に従って、ＳＩＢ１は、スケジューリング情報を提供し、ＳＩＢ２は、セル制限パラメータを提供する。ＵＥは、他のＳＩＢのスケジューリング情報を無視し（又は、ネットワークは、スケジューリング情報をブロードキャストせず）、セルを制限されているものとして取り扱うことができる。さらに、５Ｇ／ＮＲネットワークは、例えば、ＳＩＢ１又はスケジューリング情報において、セル制限パラメータと、同じＳＩＢにセル制限パラメータを含み、ＵＥは、セルが全てのサービス（又は１つ以上のサービス）へのアクセスを制限された場合は、必ずしもＳＩＢスケジューリング情報をストアしなくてもよい。
【００５１】
図４は、無線電気通信ネットワークに用いる方法の態様を概略で示すものである。本例の方法において、ＥＳＩは、複数のモバイル端末へ周期的に伝送され（Ｓ４０１）、ＥＳＩは、セルを用いることができる端末についての情報を含む。上記した例において、ＥＳＩは、例えば、ＭＩＢ及び／又はＳＩＢ（例えば、ＳＩＢ１、ＳＩＢ２）を含むことができ、これらは、セルを用いて端末にモバイルネットワーク（特定のサービスでなく）へのアクセスを提供するために端末により用いられる。そして、Ｓ４０２で、ＡＳＩがモバイル端末へ伝送される。一方、ＡＳＩは、セルにより提供される１つ以上のサービスに関わり、セルへ既にアクセスされると、端末を用いることができる。サービスの利用が意図される基地局により、又は通信を調整し、ＡＳＩを端末に送信することのできる他の基地局から、ＡＳＩは伝送することができる。
【００５２】
基地局のロードが閾値を超えたかどうかＳ４０３で判断される。基地局がオーバーロードであることが検出されると、方法がＳ４０４へと移って、セルが現在１つ以上のサービスを提供できないというサービス通知が端末へ伝送される。それは、ＥＳＩの一部として（例えば、他のＳＩに関する全てのフィールドは「０」にセットされ、この場合は、ＡＳＩはもう送信されない）、ＡＳＩの一部として、伝送され、当該セル、又は端末をサーブする隣接セルに伝送される。従って、端末は、ＡＳＩ情報を入手するよりも、アクセスしようとしているサービスがこの時点で利用不可であり、基地局のオーバーロードにより、サービスを実際に利用できないことを通知される。
【００５３】
本開示によれば、ネットワークは、オーバーロードの状況での処理時に、さらなるフレキシビリティを有し、同時に、ＵＥとセルとの間の同期も確保される（デコード不具合対非伝送に関して）。特に、端末がＡＳＩを常に受信し、サービスを利用しようと試み（セルにより提供された場合）、基地局が実際にサービスを端末へ提供できるかどうかを判断することができる場合、ネットワークは、本開示の教示に従って、より効率的にオーバーロードの状況を扱うことができる。
【００５４】
ＵＭＴＳ及びＧＥＲＡＮ  ＲＡＴは、新アークテクチャにおいてサポートされていないが、当業者であれば、ＮＲ／５ＧとＲＡＴ間でのセル再選択がなされることは分かる。同じコメントがＳＩＢ８（ＣＤＭＡ２０００）に適用される。これらの議論は、セル再選択ＳＩのサイズに影響するが、当業者であれば、これらのケースについて上述した教示を適用することができる。
【００５５】
ビームフォーミングによるＮＲ／５Ｇセルは、カバーエリアが小さく、そう多くのＵＥが追加のＳＩをリクエストしないため、ネットワークリソースは、それに応じた大きさとなる。例えば、ネットワークは、低レベルのＡＳＩ伝送が予期される場合、一般のチャネル伝送に比べて、データ伝送により多くのリソースを割り当てる。また、上述した通り、ＮＲ／５Ｇで用いられるビームフォーミングは、ＳＩ伝送のオーバーヘッドを増大するであろう。
【００５６】
従って、本開示によれば、モバイル通信ネットワークにおいてシステム情報を伝送する方法が提供される。ネットワークは、セルと複数のモバイル端末とを無線通信させる操作の可能な基地局と、複数のモバイル端末のうち１つのモバイル端末とを含み、モバイル端末は、基地局と通信する操作が可能である。方法は、基地局により提供されるセルを用いるためのシステム情報を含む基本システム情報「ＥＳＩ」を、複数のモバイル端末に定期的に伝送し、セルにより提供される１つ以上のサービスを用いるためのシステム情報を含む追加システム情報「ＡＳＩ」をモバイル端末に伝送する。方法は、基地局がオーバーロードであると判断された場合は、セルは１つ以上のサービスを現在提供できないというサービス通知を伝送することをさらに含む。
【００５７】
本発明のさらに特定及び好ましい態様は、請求項に規定される。従属項の構成要素は、請求項に明示的に規定された以外の組み合わせで、独立項の構成要素組み合わせてもよい。
【００５８】
このように、上記した開示内容及び説明は、本発明の例示の実施形態に過ぎない。当業者であれば理解される通り、本発明は、原理や本質的な特徴から逸脱することなく、他の特定の形態で実施してもよい。従って、本発明の開示は、例示のためであり、本発明の範囲及び請求項は限定されるものではない。本明細書における教示の容易に認識される変形を含む開示内容は、請求項の用語範囲を部分的に定義するものであり、本発明の主題が公になったわけではない。
【００５９】
本開示において、本明細書に記載した方法の工程は、好適な順序で実施してよく、必ずしも挙げた順番でなくてよい。例えば、可能又は適切であれば、工程は、実施例で述べた、又はその他示した順序（例えば、請求項において）とは異なる順序で実施してよい。このように、場合によっては、工程を異なる順序で、同時に（全く、又は部分的に）、又は同じ順序で行ってよい。本明細書に記載した方法の工程を行う順序が技術的に可能である限り、本開示に明示的に包含される。
【００６０】
本明細書で用いる、要素に対して情報又はメッセージを伝送することには、要素に対して１つ以上のメッセージを送信すること、残りの情報とは別の情報の一部を送信することが含まれていてよい。含まれる「メッセージ」の数もまた、レイヤー又は粒度に応じて異なる。例えば、メッセージの伝送には、ＬＴＥ環境においていくつかのリソース要素を用いることが含まれ、低いレイヤーのいくつかのシグナルは、より高いレイヤーの単一メッセージに対応する。また、１つの端末から他の端末への伝送は、ユーバーデータ、ディスカバリー情報、コントロールシグナリング及びその他のタイプの伝達すべき情報のうち１つ以上の伝送に係る。
【００６１】
また、態様が、装置又はシステムに関して開示されている場合は常に、教示はまた、対応の方法についても開示されている。同様に、方法に関して、態様が開示されている場合は常に、教示はまた、好適な対応の装置又はシステムについても開示されている。さらに、機能又は工程を実行するために構成された用語が明らかに指定されていない場合、方法又はシステムに関する教示について、機能を実施できる好適な要素が、機能又は工程を実行するように構成することができることが明示的に開示されている。例えば、モバイル端末、基地局又はその他モバイルユニットの１つ以上を、技術的に実施可能で、明示的に排除されていない限り、適宜、構成することができる。
【００６２】
「より大きい」又は「より小さい」又は等価の表現を本明細書で用いるときは常に、明示的に排除されない、又は技術的に関係ない限りは、「及びそれに等しい」及び「及びそれに等しくない」という両方の選択肢が開示されているものとする。
【００６３】
本開示は、ＬＴＥ及び／又は５Ｇのコンテクストで述べてきたが、その教示は、ＬＴＥ、５Ｇ又はその他３ＧＰＰ規格にも適用されることに注意されたい。特に、本明細書で用いられた用語は、５Ｇ規格のものと略同一又は同様であるが、教示は５Ｇの本バージョンに限定されず、５Ｇをベースとしない適切な構成にも等しく適用し、及び／又は５Ｇ又は３ＧＰＰ又は他の規格のその他今後のバージョンに準拠する。
【００６４】
本開示の各特徴は、以下の実施形態により定義される。
実施例１
モバイル通信ネットワークにおいてシステム情報を伝送する方法であって、前記ネットワークは、セルと複数のモバイル端末とを無線通信させる操作の可能な基地局と、前記複数のモバイル端末のうち１つのモバイル端末とを含み、前記モバイル端末は、前記基地局と通信する操作が可能であって、
前記基地局により提供される前記セルを用いるためのシステム情報を含む基本システム情報「ＥＳＩ」を、前記複数のモバイル端末に定期的に伝送し、
前記セルにより提供される１つ以上のサービスを用いるためのシステム情報を含む追加システム情報「ＡＳＩ」を前記モバイル端末に伝送する方法であって、
前記基地局がオーバーロードであると判断された場合は、前記セルは前記１つ以上のサービスを現在提供できないというサービス通知を伝送することをさらに含む、方法。
実施例２
前記サービス通知は、前記伝送ＡＳＩの一部として伝送される、実施例１に記載の方法。
実施例３
前記サービス通知は、前記ＥＳＩの一部として伝送される、実施例に記載の方法。
実施例４
前記サービス通知は、前記ＥＳＩの一部として伝送され、前記基地局がオーバーロードであると判断された場合は、前記ＡＳＩは、前記モバイル端末に伝送されない、実施例１に記載の方法。
実施例５
前記ＥＳＩは、前記ＡＳＩにスケジューリング情報を提供する少なくとも１つのフィールドを含み、前記サービス通知の伝送は、前記ＡＳＩにスケジューリング情報を示さない前記少なくとも１つのフィールドで、前記ＥＳＩを伝送することを含む、実施例４に記載の方法。
実施例６
前記ＥＳＩは、前記ＡＳＩが伝送されないことを示すＡＳＩ通知を含む、実施例４に記載の方法。
実施例７
前記ＥＳＩは、前記基地局により伝送される、先行するいずれかの実施例１に記載の方法。
実施例８
前記ＡＳＩは、前記基地局により、又は、前記基地局とは異なるさらなる基地局により伝送される、先行するいずれかの実施例に記載の方法。
実施例９
前記サービス通知は、
前記セルが前記１つ以上のサービス、及び、任意で、全てのサービスにアクセス制限されていることを、前記モバイル端末に通知し、
他の基地局により提供される他のセルは、前記１つ以上のサービスを提供できることを、前記モバイル端末に通知し、かつ
前記セルがもうキャンパブルではないことを、前記モバイル端末に通知する、のうち１つ以上についてである、先行するいずれかの実施例に記載の方法。
実施例１０
前記セルがもうキャンパブルではないことの通知の際、前記ＥＳＩの定期的な伝送を停止することをさらに含む、実施例９に記載の方法。
実施例１１
前記ＡＳＩは、前記モバイル端末に定期的に、又は前記モバイルのリクエストにより伝送される、先行するいずれかの実施例に記載の方法。
実施例１２
モバイル通信ネットワークにおいてシステム情報を伝送するための基地局であって、セルと複数のモバイル端末とを無線通信させる前記基地局において、前記基地局は、
前記基地局により提供される前記セルを用いるためのシステム情報を含む基本システム情報「ＥＳＩ」を、前記複数のモバイル端末に定期的に伝送し、
前記セルにより提供される１つ以上のサービスを用いるためのシステム情報を含む追加システム情報「ＡＳＩ」を前記モバイル端末に伝送し、
前記基地局がオーバーロードであると判断された場合は、セルは前記１つ以上のサービスを現在提供できないというサービス通知を伝送させることにより、前記モバイル端末に通知するように構成された、基地局。
実施例１３
前記サービス通知は、前記基地局とは異なる更なる基地局により伝送される、実施例１２に記載の基地局。
実施例１４
前記サービス通知は、前記伝送ＡＳＩの一部として伝送される、実施例１２又は１３に記載の基地局。
実施例１５
前記サービス通知は、前記ＥＳＩの一部として伝送される、実施例１２〜１４のいずれかに記載の基地局。
実施例１６
前記サービス通知は、前記ＥＳＩの一部として伝送され、前記基地局がオーバーロードであると判断された場合は、前記ＡＳＩは、前記モバイル端末に伝送されない、実施例１２又は１３に記載の基地局。
実施例１７
前記ＥＳＩは、前記ＡＳＩにスケジューリング情報を提供する少なくとも１つのフィールドを含み、前記サービス通知を伝送するよう構成された前記基地局は、前記ＡＳＩにスケジューリング情報を示さない前記少なくとも１つのフィールドで、前記ＥＳＩを伝送するよう構成された前記基地局を含む、実施例１６に記載の基地局。
実施例１８
前記ＥＳＩは、前記ＡＳＩが伝送されないことを示すＡＳＩ通知を含む、実施例１６又は１７に記載の基地局。
実施例１９
前記サービス通知は、
前記セルが前記１つ以上のサービス、及び、任意で、全てのサービスにアクセス制限されていることを、前記モバイル端末に通知し、
他の基地局により提供される他のセルは、前記１つ以上のサービスを提供できることを、前記モバイル端末に通知し、かつ
前記セルがもうキャンパブルではないことを、前記モバイル端末に通知する、のうち１つ以上についてである、実施例１２〜１８のいずれかに記載の基地局。
実施例２０
前記セルがもうキャンパブルではないことの通知の際、前記ＥＳＩの定期的な伝送を停止することをさらに含む、実施例１９に記載の基地局。
実施例２１
前記基地局は、
伝送された前記ＡＳＩを、前記モバイル端末に定期的に、及び／又は前記モバイルリクエストからのリクエストにより伝送するよう構成されている、実施例１２〜２０のいずれかに記載の基地局。
実施例２２
モバイル通信ネットワークにおいてシステム情報を伝送するための基地局の回路であって、前記回路は、セルと複数のモバイル端末とを無線通信させるよう共に操作可能に構成された、コントローラ要素とトランシーバ要素とを含み、
前記基地局により提供される前記セルを用いるためのシステム情報を含む基本システム情報「ＥＳＩ」を、前記複数のモバイル端末に定期的に伝送し、
前記セルにより提供される１つ以上のサービスを用いるためのシステム情報を含む追加システム情報「ＡＳＩ」を前記モバイル端末に伝送し、
前記基地局がオーバーロードであると判断された場合は、セルは前記１つ以上のサービスを現在提供できないというサービス通知を伝送させることにより、前記モバイル端末に通知するよう構成された、回路。
実施例２３
モバイル通信ネットワークにおいてシステム情報を伝送するための基地局であって、実施例１〜１１のいずれかに記載の方法を実施するよう構成された、基地局。
実施例２４
モバイル通信ネットワークにおいてシステム情報を受信する方法であって、前記ネットワークは、セルと複数のモバイル端末とを無線通信させる操作の可能な基地局と、前記複数のモバイル端末のうち１つのモバイル端末とを含み、前記モバイル端末は、前記基地局と通信する操作が可能であって、
前記複数のモバイル端末に定期的に伝送される、前記基地局により提供される前記セルを用いるためのシステム情報を含む基本システム情報「ＥＳＩ」を受信し、
前記セルにより提供される１つ以上のサービスを用いるためのシステム情報を含む追加システム情報「ＡＳＩ」を受信しようと試み、
前記セルは前記１つ以上のサービスを現在提供できないというサービス通知を受信することを含む、方法。
実施例２５
前記ＡＳＩを受信することをさらに含み、前記サービス通知は、前記受信ＡＳＩの一部として受信される、実施例２４に記載の方法。
実施例２６
前記ＡＳＩは、前記基地局から、又は前記基地局とは異なるさらなる基地局から受信される、実施例２５に記載の方法。
実施例２７
前記サービス通知を受信することは、前記複数のモバイル端末に伝送された前記ＥＳＩの一部として前記サービス通知を受信することを含む、実施例２４〜２６のいずれかに記載の方法。
実施例２８
前記サービス通知は、
前記セルが前記１つ以上のサービス、及び、任意で、全てのサービスにアクセス制限されていることを前記モバイル端末に、通知し、
他の基地局により提供される他のセルは、前記１つ以上のサービスを提供できることを前記モバイル端末に、通知し、かつ
前記セルがもうキャンパブルではないことを前記モバイル端末に、通知する、のうち１つ以上についてである、実施例２４〜２７に記載の方法。
実施例２９
前記セルが、前記１つ以上のサービスにアクセス制限されている通知の際に、
前記基地局とは異なる第２の基地局により提供されるセルから１つ以上のサービスのうち少なくとも１つへのアクセスを試み、及び／又は
前記ＡＳＩを受信することを試みる前に、一定の期間待つことをさらに含む、実施例２８に記載の方法。
実施例３０
前記セルがもうキャンパブルではないことを通知する際に、
前記基地局とは異なる第２の基地局により提供される第２のセルにキャンピングオンすることをさらに含む、実施例２８又は２９に記載の方法。
実施例３１
モバイル通信ネットワークにおいてシステム情報を受信するためのモバイル端末であって、前記ネットワークは、セルと複数のモバイル端末とを無線通信させる操作の可能な基地局と、前記複数のモバイル端末のうち１つのモバイル端末とを含み、前記モバイル端末は、前記基地局と通信する操作が可能であって、
前記複数のモバイル端末に定期的に伝送される、前記基地局により提供される前記セルを用いるためのシステム情報を含む基本システム情報「ＥＳＩ」を受信し、
前記セルにより提供される１つ以上のサービスを用いるためのシステム情報を含む追加システム情報「ＡＳＩ」を受信しようと試み、
前記セルは前記１つ以上のサービスを現在提供できないというサービス通知を受信するよう動作する操作の可能な、モバイル端末。
実施例３２
前記ＡＳＩを受信するように構成され、前記サービス通知は、前記受信ＡＳＩの一部として受信される、実施例３１に記載のモバイル端末。
実施例３３
前記ＡＳＩは、前記基地局から、又は前記基地局とは異なるさらなる基地局から受信される、実施例３２に記載のモバイル端末。
実施例３４
前記サービス通知を受信するよう構成された前記モバイル端末は、前記複数のモバイル端末に伝送された前記ＥＳＩの一部として前記サービス通知を受信する操作の可能な前記モバイル端末を含む、実施例３１〜３３のいずれかに記載のモバイル端末。
実施例３５
前記サービス通知は、
セルが前記１つ以上のサービスに、任意で、全てのサービスにアクセス制限されていることを、前記モバイル端末に通知し、
他の基地局により提供される他のセルは、前記１つ以上のサービスを提供できることを、前記モバイル端末に通知し、かつ
前記セルがもうキャンパブルではないことを、前記モバイル端末に通知する、のうち１つ以上についてである、実施例３１〜３４のいずれかに記載のモバイル端末。
実施例３６
前記セルが、前記１つ以上のサービスにアクセス制限されている通知の際に、
前記基地局とは異なる第２の基地局により提供されるセルから１つ以上のサービスのうち少なくとも１つへのアクセスを試み、及び／又は
前記ＡＳＩを受信することを試みる前に、一定の期間待つように、さらに操作可能にされる、実施例３５に記載のモバイル端末。
実施例３７
前記セルがもうキャンパブルではないことを通知する際に、
前記基地局とは異なる第２の基地局により提供される第２のセルにキャンプオンするように、さらに操作可能にされる、実施例３５又は３６に記載のモバイル端末。
実施例３８
モバイル通信ネットワークにおいてシステム情報を受信するためのモバイル端末の回路であって、前記ネットワークは、セルと複数のモバイル端末とを無線通信させる操作の可能な基地局と、前記複数のモバイル端末のうち１つのモバイル端末とを含み、前記回路は、セルと複数のモバイル端末とを無線通信させる動作をするよう構成された、コントローラ要素とトランシーバ要素とを含み、
前記複数のモバイル端末に定期的に伝送される、前記基地局により提供される前記セルを用いるためのシステム情報を含む基本システム情報「ＥＳＩ」を受信し、
前記セルにより提供される１つ以上のサービスを用いるためのシステム情報を含む追加システム情報「ＡＳＩ」を受信しようと試み、
前記セルは前記１つ以上のサービスを現在提供できないというサービス通知を受信する、回路。
実施例３９
モバイル通信ネットワークにおいてシステム情報を伝達するモバイル端末であって、実施例２４〜３０のいずれかに記載の方法を実行するよう構成された、モバイル端末。
参考文献
[1]    Holma H. and Toskala A, "LTE for UMTS OFDMA and SC-FDMA based radio    access", John Wiley and Sons, 2009
【図１】
2019532594.tif 000004
【図２】
2019532594.tif 000005
【図３】
2019532594.tif 000006
【図４】
2019532594.tif 000007
【国際調査報告】
2019532594.tif 000008
2019532594.tif 000009
2019532594.tif 000010
2019532594.tif 000011
2019532594.tif 000012